(57)【要約】【課題】本発明は、操作性を低下させることなくフラッシュ装置を所定の位置に固定可能なブラケット装置を提供する。【解決手段】本発明は、撮像装置にフラッシュ装置を固定するブラケット装置において、前記撮像装置の下面に沿って固定可能な基台部と、前記基台部の前記撮像装置のレリーズボタン側の一端部から下方に延出した第１延出部、及び前記第１延出部の端部から前記撮像装置の下面に沿う方向に延出した第２延出部からなる第１腕部と、前記第１腕部に配設されたシューアダプタとを設けたことを特徴とする。【選択図】図２
2010128326.tif 000002
【特許請求の範囲】
【請求項１】
撮像装置にフラッシュ装置を固定するブラケット装置であって、
前記撮像装置の下面に沿って固定可能な基台部と、
前記基台部の前記撮像装置のレリーズボタン側の一端部から下方に延出した第１延出部、及び前記第１延出部の端部から前記撮像装置の下面に沿う方向に延出した第２延出部からなる第１腕部と、
前記第１腕部に配設されたシューアダプタと、
を具備することを特徴とするブラケット装置。
【請求項２】
前記第１腕部は、前記基台部と別体に構成されることを特徴とする請求項１に記載のブラケット装置。
【請求項３】
前記第１腕部は、前記基台部との結合部において、前記基台部に対して前記基台部と平行な面内で任意の方向に回動可能であることを特徴とする請求項２に記載のブラケット装置。
【請求項４】
前記基台部と別体であって、前記基台部の前記撮像装置のレリーズボタン側とは反対側の他端部から下方に延出した第３延出部、及び前記第３延出部の端部から前記撮像装置の下面に沿う方向に延出した第４延出部からなり、前記基台部との結合部において、前記基台部に対して前記基台部と平行な面内で任意の方向に回動可能な第２腕部と、
前記第２腕部に配設された第２のシューアダプタと、
を具備することを特徴とする請求項３に記載のブラケット装置。
【請求項５】
前記第１延出部の下方への延出量と前記第３延出部の下方への延出量が異なり、前記第１腕部と前記第２腕部とは互いに干渉することなく前記基台部に対して回動可能であることを特徴とする請求項４に記載のブラケット装置。
【請求項６】
前記基台部と前記第１腕部との間に介装可能であって、前記基台部と前記第２延出部との距離を調整する調整部材を具備することを特徴とする請求項２から５のいずれか一項に記載のブラケット装置。
【請求項７】
前記調整部材は、前記基台部と前記第２腕部との間に介装可能であって、前記基台部と前記第４延出部との距離を調整可能であることを特徴とする請求項６に記載のブラケット装置。
【請求項８】
前記調整部材は、シューアダプタを取付可能であることを特徴とする請求項６又は７に記載のブラケット装置。
【発明の詳細な説明】
【技術分野】
【０００１】
本発明は、撮像装置にフラッシュ装置を固定するためのブラケット装置に関する。
【背景技術】
【０００２】
フィルムカメラ、デジタルカメラ、ビデオカメラ等と称される撮像装置の撮影時には、必要に応じて被写体を照明するためのフラッシュ装置が用いられる。フラッシュ装置の撮像装置に対する位置は、位置を近接撮影や縦位置撮影等の様々な撮影条件に合わせて変化させられることが好ましい。
【０００３】
このためフラッシュ装置は、例えば実開平５−４３１３７号公報に開示されているようなブラケット装置を用いて、撮像装置本体に設けられたホットシュー以外の位置に固定されることがある。
【０００４】
ブラケット装置を用いて撮像装置にフラッシュ装置を固定する方法としては、例えば図１７に示すように、撮像装置２００の下面に固定されレリーズボタン２０４側（把持部２０２側）に延出する平板状のブラケット装置２２０にフラッシュ装置２１０を固定する方法が存在する。
【０００５】
また、図１９に示すように、撮像装置２００の下面に固定されレリーズボタン２０４側（把持部２０２側）とは反対側に延出する平板状のブラケット装置２２１にフラッシュ装置２１０を固定する方法も知られている。
【０００６】
また、図２０に示すように、撮像装置２００のレリーズボタン２０４側（把持部２０２側）に撮像装置２００とは別にレリーズボタン２２２ｂを設けた把持部２２２ａを配設し、該把持部２２２ａの上方にフラッシュ装置２１０を固定する方法も知られている。
【特許文献１】実開平５−４３１３７号公報
【発明の開示】
【発明が解決しようとする課題】
【０００７】
例えば、図１７に示すようなブラケット装置２２０を用いて撮像装置２００のレリーズボタン２０４側にフラッシュ装置２１０を固定する場合、図１８中のハッチングの領域で示すように、撮像装置２００を把持する操作者の手３００又は腕がブラケット装置２２０に干渉してしまうことがあり、撮影時の姿勢が制限される等、操作性が低下してしまう。
【０００８】
また、図１９に示すようなブラケット装置２２１を用いて撮像装置２００のレリーズボタン２０４側とは反対側にフラッシュ装置２１０を固定する場合、撮像装置２００及びフラッシュ装置２１０を合わせた重心位置が把持部２０２から遠ざかってしまうため、片手での把持が困難になる等、やはり操作性が低下してしまう。
【０００９】
また、図２０に示すような把持部２２２ａを具備するブラケット装置２２２を用いてフラッシュ装置２１０を固定する場合、撮像装置２００を操作するためのダイヤルスイッチ等の操作部材のうち、ブラケット装置２２２には配設されていないものを操作する場合には、その都度把持部２２２ａから手を離さなければならず、やはり操作性が低下してしまう。
【００１０】
本発明は、上記問題点に鑑みてなされたものであり、操作性を低下させることなくフラッシュ装置を所定の位置に固定可能なブラケット装置を提供することを目的とする。
【課題を解決するための手段】
【００１１】
本発明に係るブラケット装置は、撮像装置にフラッシュ装置を固定するブラケット装置であって、前記撮像装置の下面に沿って固定可能な基台部と、前記基台部の前記撮像装置のレリーズボタン側の一端部から下方に延出した第１延出部、及び前記第１延出部の端部から前記撮像装置の下面に沿う方向に延出した第２延出部からなる第１腕部と、前記第１腕部に配設されたシューアダプタと、を具備することを特徴とする。
【発明を実施するための最良の形態】
【００１２】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１３】
（第１の実施形態）
以下、本発明の第１の実施形態について図１から図９を参照して説明する。図１は、本実施形態の撮像装置であるカメラの外観を示す斜視図である。図２は、本実施形態のブラケット装置の外観を示す斜視図である。図３は、ブラケット装置の分解図である。図４は、ブラケット装置を用いて撮像装置にフラッシュ装置を固定した状態を示す図である。図５は、ブラケット装置を用いて撮像装置に２つのフラッシュ装置を固定した状態を示す図である。図６は、間隔部材を用いてフラッシュ装置の高さを変更した状態を示す図である。図７は、間隔部材を用いてフラッシュ装置を撮像装置に対して横方向に倒して固定した状態を示す図である。図８は、フラッシュ装置を撮像装置に対して上方に固定した状態を示す図である。図９は、ブラケット装置を折りたたんだ状態を示す斜視図である。
【００１４】
本実施形態の撮像装置１００は、図１に示すように、レリーズボタン１０４が設けられた把持部１０２を有するカメラボディ部１０１と、該カメラボディ部１０１に装着された撮像光学系部材である撮像レンズ１０３とを具備して構成される。本実施形態の撮像装置１００は、一般にＣＣＤ（電荷結合素子）やＣＭＯＳ（相補型金属酸化膜半導体）センサと称される図示しない撮像素子を具備し、該撮像素子から出力される電気信号に基づいた静止画像又は動画像を記憶媒体に電子的に記録する、いわゆるデジタルカメラと称される形態を有する。なお、撮像装置１００の形態は本実施形態に限られるものではなく、フィルムを用いて撮像するいわゆるフィルムカメラであってもよい。
【００１５】
以下の説明において、撮像装置１００の撮像レンズ１０３が配置された側、すなわち被写体に向かう方向を前方、その反対側を後方と称し、撮像装置１００の前方側の面を前面、後方側の面を背面と称する。
【００１６】
ここで、撮影レンズ１０３の光軸が略水平であって、把持部１０２が撮像レンズ１０３の水平横方向に位置し、かつレリーズボタン１０４が上方を向いた状態の撮像装置１００の姿勢を、正立位置と称する。また、撮像装置１００を正立位置から撮影レンズ１０３の光軸周りに略９０度回転させ、把持部１０２が撮像レンズ１０３の鉛直上方又は鉛直下方に位置する撮像装置１００の姿勢を、縦位置と称する。
【００１７】
そして、正立位置における撮像装置１００の鉛直上側を上方、鉛直下側を下方とし、撮像装置１００の上方側の面を上面、下方側の面を下面１０８と称する。また、撮像装置１００を正立位置とした場合において、背面側から見て水平右側を右方、水平左側を左方とする。
【００１８】
すなわち、本実施形態の撮像装置１００においては、カメラボディ部１０１の右方に把持部１０２及びレリーズボタン１０４が配設されているるのであり、把持部１０２はカメラボディ部１０１から前方に突出した形状を有する。また、レリーズボタン１０４は、把持部１０２の上方に配設されている。
【００１９】
また、撮像装置１００のカメラボディ部１０１には、操作部材１０５、画像表示装置１０６、内蔵フラッシュ装置１０７、ホットシュー１１０及び三脚用ネジ穴１０９等が配設されている。
【００２０】
操作部材１０５は、使用者からの指示命令情報を撮像装置１００に入力するためのものであり、ダイヤルスイッチ、プッシュスイッチ及びレバースイッチ等のスイッチ類や、タッチパネル及び加速度センサ等のセンサ類からなる。
【００２１】
画像表示装置１０６は、カメラボディ部１０１の背面に配設されている。画像表示装１０６は、例えばカラー表示可能な液晶表示装置又は有機エレクトロルミネッセンス表示装置等からなり、撮像装置１００の撮像動作時には、画像表示装置１０６は、例えば絞り値やシャッタースピード等の撮影条件や、いわゆる電子ファインダやライブビューと称される被写体のリアルタイムの動画像、及び撮像結果等を表示する。また、撮像装置１００の再生動作時には、画像表示装置１０６は、例えばカメラボディ部１０１内部の記録媒体に記録されている静止画像や動画像を表示する。
【００２２】
画像表示装置１０６は、カメラボディ部１０１に対して移動可能にヒンジ部１０６ａにより支持されている。ヒンジ部１０６ａは、カメラボディ部１０１の背面の左方に配設されており、図１に示すように、画像表示装置１０６を、カメラボディ部１０１に対して上下方向に沿う軸Ａ１周り及び軸Ａ１に略直交する軸Ａ２周りに回動可能に支持する。
【００２３】
ヒンジ部１０６ａは、画像表示装置１０６を所定の摩擦抵抗力により任意の位置に自由に位置決め可能ないわゆるフリーストップ構造を有する。したがって本実施形態の撮像装置１００は、このような２軸のヒンジ部１０６ａを介してカメラボディ部１０１に対して画像表示装置１０６を支持することにより、画像表示装置１０６の表示画面１０６ｂを任意の方向に向けた状態で保持することが可能である。
【００２４】
内蔵フラッシュ装置１０７は、前方に照明光を照射するための閃光発光装置を具備してなり、カメラボディ部１０１の上方に配設されている。内蔵フラッシュ装置１０７は、非使用時にはカメラボディ部１０１に収容されており、使用時には図１に示すように手動又は自動によりカメラボディ部１０１から上方に突出し露出するよう構成されている。
【００２５】
ホットシュー１１０は、カメラボディ部１０１の上方に配設されている。ホットシュー１１０は、後述するフラッシュ装置１２０やフラッシュアダプタ１１１等のアクセサリをカメラボディ部１０１に対して着脱可能に保持するための部位であり、フラッシュ装置１２０やフラッシュアダプタ１１１等と係合可能な形状を有する。また、ホットシュー１１０には、フラッシュ装置１２０と撮像装置１００とを電気的に接続するための電気接点部１１０ａが配設されている。
【００２６】
三脚用ネジ穴１０９は、三脚の雲台に設けられた雄ネジ部や後述するブラケット装置１の雄ネジ部９１等と螺合する雌ネジ部であり、カメラボディ部１０１の下面１０８に形成されている。
【００２７】
次に、本実施形態のブラケット装置１の構成を説明する。
【００２８】
図２に示すように、ブラケット装置１は、前述した撮像装置１００に対してフラッシュ装置１２０を固定するものである。ブラケット装置１は、ネジ９０ａが三脚用ネジ穴１０９に螺合することにより撮像装置１００に対して固定されるとともに、シュー８１がフラッシュ装置１２０の係合部と係合することによりフラッシュ装置１２０はブラケット装置１に対して固定される。
【００２９】
なお、本実施形態では、フラッシュ装置１２０は、撮像装置１００の内蔵フラッシュ装置１０７のコマンダーの発光に応じたスレーブ発光を行うことができる。したがって、撮像装置１００は、フラッシュ装置１２０との間で有線による接続を確立することなく、一つ又は複数のフラッシュ装置１２０の発光を制御することができる。もちろん、撮像装置１００によるフラッシュ装置１２０の発光の制御は、撮像装置１００とフラッシュ装置１２０とがケーブルにより電気的に接続された状態によって行われるものであってもよい。
【００３０】
本実施形態のブラケット装置１は、図３に示すように複数のネジ９０ｂ〜９０ｇによって離合可能に構成された複数の部品からなる。具体的には、ブラケット装置１は、基台部１０、第１腕部３０、第２腕部５０、シューアダプタ８０及び調整部材７０からなる複数の部品と、ネジ９０ａ〜９０ｇを具備して構成されている。
【００３１】
詳しくは後述するが、本実施形態では使用者が必要に応じてこれら複数の部品の組み合わせを選択することにより、ブラケット装置１は、一つ又は複数のフラッシュ装置１２０を撮像装置１００に対して固定することができる。なお、ブラケット装置１を構成する以下に詳細を述べる複数の部品のうち、一部又は全部が一体に形成されるものであってもよい。
【００３２】
ネジ９０ａ〜９０ｇは、本実施形態では全て同一の形状であり、図３に示すように、雄ネジ部９１と、該雄ネジ部９１の基端側に形成され雄ネジ部９１の谷の径よりも小さい径の非ネジ部９２と、座面９３を有する略円盤形状の頭部９４と、を具備して構成されている。
【００３３】
ネジ９０ａ〜９０ｇの雄ネジ部９１は、撮像装置１００の三脚用ネジ穴１０９に螺合可能な呼び径を有する。また、ネジ９０ａ〜９０ｇにおいて、座面９３から雄ネジ部９１の先端までの距離は、後述する基台部１０の厚さｔの２倍程度であり、座面９３から雄ネジ部９１までの距離（非ネジ部９２の長さ）は、基台部１０の厚さｔよりやや大きい値である。
【００３４】
基台部１０は、厚さｔの金属製の平板からなり、両端部にそれぞれネジ孔１２及び１４が形成された細長の平面形状を有する。ネジ孔１２及び１４は、それぞれ雄ネジ部９１が螺合可能な呼び径、すなわち撮像装置１００の三脚用ネジ穴１０９と同一の呼び径を有する。
【００３５】
ネジ孔１２及び１４の周囲には、ネジ孔１２及び１４を中心とした所定の直径Ｄの円周上に、複数の位置決め孔１３及び１５が等配されている。位置決め孔１３及び１５は、ネジ孔１２及び１４を中心に略４５度の間隔で８つ形成されている。なお、本実施形態では、位置決め孔１３のうちの１つは、後述するスリット孔１１の一端として形成されている。
【００３６】
また、基台部１０のネジ孔１２及び１４の間には、基台部１０の長手方向に沿ってスリット孔１１が形成されている。当該スリット孔１１の一端は位置決め孔１３の一つと連続するように形成されており、他端は雄ネジ部９１が螺合可能な呼び径の雌ネジ部１１ａと連続するように形成されている。
【００３７】
スリット孔１１の二面幅は、ネジ９０ａの非ネジ部９２の径よりも大きく、かつ雄ネジ部９１の外径よりも小さい。このため、ねじ９０ａの雄ネジ部９１を基台部１０の一方の面側に全て突出するように雌ネジ部１１ａにねじ込んだ場合には、スリット孔１１内に非ネジ部９２が隙間を有して嵌め合わされる状態となり、図２の矢印Ｂ１に示すようにネジ９０ａは落下することなくスリット孔１１に沿って自由に移動可能となる。
【００３８】
基台部１０の一方の面上であって、スリット孔１１の周囲には、ゴム製のシート１７が貼着されている。また、基台部１０のスリット孔１１の雌ネジ部１１ａとネジ孔１４との間には、ネジ孔１２及び１４と同一の呼び径を有するネジ孔１６が形成されている。
【００３９】
第１腕部３０は、厚さｔの細長の金属製平板をクランク状に２度折り曲げてなる３つ平面部を有する形状を有する。より具体的には図３に示すように、第１腕部３０は、基端部３０ａと該基端部３０ａに略直交する第１の延出方向に延出する第１延出部３０ｂと、基端部３０ａと略平行であって第１延出部の先端部から基端部３０ａとは反対側となる第２の延出方向に延出する第２延出部３０ｃと、により構成される。ここで、互いに略平行な基端部３０ａと第２延出部３０ｃとの距離、すなわち第２延出部３０ｂの延出量をｈ１とする。
【００４０】
本実施形態では、第１腕部３０は、基台部１０と略同一の外形を有する細長の平板を、２度略９０度に折り曲げることにより形成される。
【００４１】
第１腕部３０の基端部３０ａには、雄ネジ部９１が螺合可能な呼び径のネジ孔３４が形成されている。また、基端部３０ａのネジ孔３４の周囲には、第１延出部３０ｂの延出方向とは反対側の面上に、ゴム製のシート３６が貼着されている。
【００４２】
また、第１腕部３０の第２延出部３０ｃの先端部には、雄ネジ部９１が螺合可能な呼び径のネジ孔３２が形成されている。また、該ネジ孔３２の周囲には、所定の直径Ｄの円周上に、複数の位置決め孔３３が等配されている。位置決め孔３３は、ネジ孔３２を中心に略４５度の間隔で８つ形成されている。なお、本実施形態では、位置決め孔３３のうちの１つは、後述するスリット孔３１の一端として形成されている。
【００４３】
また、第２延出部３０ｃの基端とネジ孔３２との間には、第２の延出方向に沿ってスリット孔３１が形成されている。スリット孔３１の一端は位置決め孔３３の一つと連続するように形成されており、他端は雄ネジ部９１が螺合可能な呼び径の雌ネジ部３１ａと連続するように形成されている。スリット孔３１の二面幅は、ネジ９０ｂの非ネジ部９２の径よりも大きく、かつ雄ネジ部９１の外径よりも小さい。
【００４４】
第２腕部５０は、前述した第１腕部３０と同様に、厚さｔの細長の金属製平板をクランク状に２度折り曲げてなる３つ平面部である基端部５０ａ、第３延出部５０ｂ及び第４延出部５０ｃを有する形状を有する。
【００４５】
本実施形態では、第２腕部５０は、第１腕部３０と同様に基台部１０と略同一の外形を有する細長の平板を、２度略９０度に折り曲げることにより形成されるものであるが、ここで、互いに略平行な基端部５０ａと第４延出部５０ｃとの距離である第３延出部５０ｂの延出量ｈ２が、ｈ１に厚さｔを加えた値よりも大きい値とされる点が異なる。すなわち、本実施形態では、ｈ２＞ｈ１＋ｔの関係を満たす。
【００４６】
本実施形態のように、基台部１０と略同一の外形の金属製平板から第１腕部３０及び第２腕部５０を形成することにより、製造時に必要な費用を削減することができる。
【００４７】
また、第２腕部５０の基端部５０ａには、雄ネジ部９１が螺合可能な呼び径のネジ孔５４が形成されている。また、基端部５０ａのネジ孔５４の周囲には、第３延出部５０ｂの延出方向とは反対側の面上に、ゴム製のシート５６が貼着されている。
【００４８】
また、第２腕部５０の第４延出部５０ｃの先端部には、雄ネジ部９１が螺合可能な呼び径のネジ孔５２が形成されている。該ネジ孔５２の周囲には、所定の直径Ｄの円周上に、複数の位置決め孔５３が等配されている。位置決め孔５３は、ネジ孔５２を中心に略４５度の間隔で８つ形成されている。なお、本実施形態では、位置決め孔５３のうちの１つは、後述するスリット孔５１の一端として形成されている。
【００４９】
また、第４延出部５０ｃの基端とネジ孔５２との間には、第４の延出方向に沿ってスリット孔５１が形成されている。スリット孔５１の一端は位置決め孔５３の一つと連続するように形成されており、他端は雄ネジ部９１が螺合可能な呼び径の雌ネジ部５１ａと連続するように形成されている。スリット孔５１の二面幅は、ネジ９０ｅの非ネジ部９２の径よりも大きく、かつ雄ネジ部９１の外径よりも小さい。
【００５０】
以上に説明した第１腕部３０及び第２腕部５０のネジ孔３４及び５４に、ネジ９０ｂ及び９０ｄの雄ネジ部９１をシート３６及び５６側に全て突出するようにねじ込んだ場合には、ネジ孔３４及び５４内に非ネジ部９２が隙間を有して嵌め合わされる状態となることから、ネジ９０ｂ及び９０ｄは落下することなく自由に回転することができる。
【００５１】
同様に、ネジ孔３２及び５２に、ネジ９０ｃ及び９０ｅの雄ネジ部９１を一方の面側に全て突出するようにねじ込んだ場合には、ネジ孔３２及び５２内に非ネジ部９２が隙間を有して嵌め合わされる状態となることから、ネジ９０ｃ及び９０ｅは落下することなく自由に回転することができる。
【００５２】
また、雌ネジ部３１ａ及び５１ａに、ねじ９０ｃ及び９０ｅの雄ネジ部９１を一方の面側に全て突出するようににねじ込んだ場合には、図２の矢印Ｂ２及びＢ３に示すように、ネジ９０ｃ及び９０ｅは落下することなくスリット孔３１及び５１に沿って自由に移動可能となる。
【００５３】
シューアダプタ８０は、一方の面に雄ネジ部９１が螺合可能な呼び径の雌ネジ８２が形成されており、該一方の面とは反対側の面にフラッシュ装置１２０の係合部と係合可能なシュー８１を具備して構成されている。なお、シューアダプタ８０の雌ネジ８２が形成された面には、ゴム製のシートが貼着されてもよい。
【００５４】
調整部材７０は、金属製平板をコ字状に折り曲げてなる形状を有する。調整部材７０の互いに略平行な一対の平面部７０ｂ及び７０ｃのそれぞれには、雄ネジ部９１が螺合可能な呼び径のネジ孔７３及び７５が形成されている。
【００５５】
互いに平行な一対の平面部７０ｂ及び７０ｃのうちの一方の平面部７０ｂには、他方の平面部７０ｃとは反対側に突出する一対の位置決めピン７４が配設されている。一対の位置決めピン７４は、基台部１０、第１腕部及び第２腕部に形成された位置決め穴１３、１５、３３及び５３内にすきま嵌め可能な外形を有し、ネジ孔７３を中心として中心間距離がＤとなるように配設されている。
【００５６】
他方の平面部７０ｃのネジ孔７５の周囲には、所定の直径Ｄの円周上に、複数の位置決め孔７６が等配されている。位置決め孔７６は、ネジ孔７５を中心に略４５度の間隔で８つ形成されている。
【００５７】
また、互いに略平行な一対の平面部７０ｂ及び７０ｃを接続する平面部７０ａには、雄ネジ部９１が螺合可能な呼び径の雌ネジ７１が形成されている。すなわち、本実施形態の調整部材７０において、雌ネジ７１は、雌ネジ７３及び７５と略直交するように形成されている。
【００５８】
以上に説明した部品からなるブラケット装置１について、基台部１０、第１腕部３０、第２腕部５０及びシューアダプタ８０をネジ９０ｂ〜９０ｅを用いて組み立てた一例が、図２に示す状態である。
【００５９】
図２に示す状態において、基台部１０は、スリット孔１１に挿通され三脚用ネジ穴１０９に螺合するネジ９０ａによって、撮像装置１００の下面１０８に左右方向に長手方向が沿うように固定される。またこのとき、基台部１０は、ネジ孔１２が撮像装置１００の把持部１０２及びレリーズボタン１０４が設けられた側に位置し、シート１７が貼着された面が撮像装置１０８の下面１０８に対向するように固定される。
【００６０】
基台部１０の撮像装置１００とは反対側（反対面）には、ネジ孔１２に螺合するネジ９０ｂによって第１腕部３０の基端部３０ａが固定される。このとき、第１腕部３０の第１延出部３０ｂは、撮像装置１００のレリーズボタン１０４側の一端部から下方側へ延出するとともに、第２延出部３０ｃは、撮像装置１００の下面１０８と略平行かつ撮像装置から遠ざかるように延出する。なお、第２延出部３０ｃの延出方向は、ネジ９０ｂを緩めることにより、撮像装置１００の下面１０８と略平行な平面上において任意の方向に変更可能である。また、シューアダプタ８０は、スリット孔３１の任意の位置に固定されることが可能である。
【００６１】
第１腕部３０の第２延出部３０ｃには、ネジ孔３２又はスリット孔３１に挿通されるネジ９０ｃにより、シューアダプタ８０が固定される。シューアダプタ８０は、ネジ９０ｃを緩めることにより、撮像装置１００の上下方向に沿う軸周りについて任意の方向に回動可能である。
【００６２】
また、撮像装置１００のレリーズボタン１０４側とは反対側となる基台部１０の他端部には、ネジ孔１４に螺合するネジ９０ｄによって第２腕部５０の基端部５０ａが固定される。このとき、第２腕部５０の第３延出部５０ｂは、撮像装置１００の下方側へ延出するとともに、第４延出部５０ｃは、撮像装置１００の下面１０８と略平行かつ撮像装置から遠ざかるように延出する。なお、第４延出部５０ｃの延出方向は、ネジ９０ｄを緩めることにより、撮像装置１００の下面１０８と略平行な平面上において任意の方向に変更可能である。
【００６３】
そして、第２腕部５０の第４延出部５０ｃには、ネジ孔５２又はスリット孔５１に挿通されるネジ９０ｅにより、シューアダプタ８０が固定される。シューアダプタ８０は、ネジ９０ｅを緩めることにより、撮像装置１００の上下方向に沿う軸周りについて任意の方向に回動可能である。また、シューアダプタ８０は、スリット孔５１の任意の位置に固定されることが可能である。
【００６４】
以上に説明した構成を有するブラケット装置１を使用して、撮像装置１００にフラッシュ装置１２０を固定する形態の例とその効果を以下に説明する。
【００６５】
図４は、撮像装置１００に１台のフラッシュ装置１２０を固定する場合の、ブラケット装置１の使用形態の一例を示している。図４に示すように、撮像装置１００に１台のフラッシュ装置１２０を固定する場合、ブラケット装置１は、図２の状態から第２腕部５０が取り外され、基台部１０のレリーズボタン１０４側に第１腕部３０及びシューアダプタ８０が固定された状態で使用される。
【００６６】
この場合、ブラケット装置１は、撮像装置１００のレリーズボタン１０４（把持部１０２）の下方において、撮像装置１００の下方側へ一端延出した後に、撮像装置１００の側方へと延出している。このため、使用者が撮像装置１００の把持部１０２を把持して撮影を行おうとする場合に、基台部１７の一端部が大きく撮像装置１００の側方へはみ出さないため、ブラケット装置１が使用者の手又は腕に干渉してしまうことがなく、良好な操作性を得ることができる。
【００６７】
また、使用者は、直接撮像装置１００を把持して撮影を続けることが可能となるため、カメラボディ部１０１に配設された全ての操作部材１０５を素早く操作することができる。
【００６８】
また、使用者が把持する把持部１０２は、撮像装置１００の重心とフラッシュ装置１２０の重心との間に位置するため、把持した状態における重量のバランスが良く取り回し性が向上する。
【００６９】
また、ネジ９０ｂを緩めて第１腕部３０の向きを変更する、及びネジ９０ｃを緩めて第１腕部上３０におけるシューアダプタ８０の固定位置と向きを変更することにより、撮像装置１００に対するフラッシュ装置１２０の発光部１２０ａの位置を比較的高い自由度で変更することができる。
【００７０】
例えば、ネジ９０ｃを第１腕部３０のスリット孔３１に挿通した状態でシューアダプタ８０を第１腕部３０に固定する場合、フラッシュ装置１２０の撮像レンズ１０３の光軸からの離間距離と光軸に対する角度を自由に変更することができ、被写体を様々な角度から照明することができる。
【００７１】
また、ネジ９０ｃを第１腕部３０のネジ孔３２に挿通した状態でシューアダプタ３０を第１腕部３０に固定する場合、フラッシュ装置１２０の角度のみを変更することができ、フラッシュ装置１２０の位置が不用意に動いてしまうことがない。
【００７２】
以上のように、本実施形態のブラケット装置１を用いて撮像装置１００にフラッシュ装置１２０を固定することにより、フラッシュ装置１２０を撮像装置１００の側方に固定した状態における撮影時の操作性を向上させることができる。
【００７３】
図５は、撮像装置１００に２台のフラッシュ装置１２０を固定する場合の、ブラケット装置１の使用形態の一例を示している。マクロ撮影等で撮像装置１００に２台のフラッシュ装置１２０を固定する場合、ブラケット装置１は、図２のように、第１腕部２０及び第２腕部５０が、基台部１０の両端部に固定された状態で使用される。
【００７４】
この場合も、図４を参照して説明したように、ブラケット装置１は、撮像装置１００を把持する使用者の手又は腕と干渉することがない。また、２台のフラッシュ装置１２０の位置を比較的高い自由度で変更することができる。
【００７５】
さらに、第２腕部５０及び第２腕部５０を基台部１０に固定するネジ９０ｄは、撮像装置１００の下面１０８よりも下方に配置されることから、画像表示装置１０６を撮像装置１００の左方に突出させた状態においても、画像表示装置１０６がフラッシュ装置１２０又はブラケット装置１と干渉してしまうことがなく、画像表示装置１０６の位置に制限が生じない。よって、本実施形態のブラケット装置１によれば、撮像装置１００の側方にフラッシュ装置１２０を固定した状態においても、画像表示装置１０６の表示画面１０６ｂを前方、上方又は下方等任意の方向に向けた状態で撮影を行うことができ、撮影時の利便性を向上させることができる。
【００７６】
なお、図５中では、画像表示装置１０６の表示画面１０６ｂが前方に向けられた状態を示している。本実施形態によれば図５に示すように、表示画面１０６ｂを前方、後方及び任意の方向にも向けることが可能である。
【００７７】
図６は、調整部材７０を用いて撮像装置１００に対するフラッシュ装置１２０の上下方向についての位置を変更する場合の、ブラケット装置１の使用形態の一例を示している。図４又は図５を参照して説明した場合よりもフラッシュ装置１２０を撮像装置１００の下方側に固定したい場合には、基台部１０と、第１腕部３０又は第２腕部５０との間に、調整部材７０を介装する。
【００７８】
調整部材７０は、一方の平面部７０ｂがネジ９０ｆにより基台部１０に固定される。このとき、一方の平面部７０ｂに設けられた位置決めピン７４が基台部１０に設けられた位置決め孔１３又は１５に嵌合することにより、基台部１０に対する調整部材７０の相対位置が決められる。そして、第１腕部３０又は第２腕部５０は、調整部材７０の他方の平面部７０ｃにネジ９０ｂにより固定される。
【００７９】
この場合も、上述したように、ブラケット装置１は、撮像装置１００を把持する使用者の手又は腕と干渉することがない。また、１台又は２台のフラッシュ装置１２０の位置をの位置を比較的高い自由度で変更することができる。さらに、フラッシュ装置１２０の発光部１２０ａの高さを撮像レンズ１０３の光軸の高さに合わせることができる。
【００８０】
図７は、調整部材７０を用いてフラッシュ装置１２０を撮像装置１００に対して倒した状態で固定する場合の、ブラケット装置１の使用形態の一例を示している。図６を参照して説明した場合よりもさらにフラッシュ装置１２０を撮像装置１００の下方側に固定したい場合や、フラッシュ装置１２０の発光部１２０ａを撮像レンズ１０３の光軸から遠ざけたい場合には、第１腕部３０又は第２腕部５０の先端部に、平面部７０ａの雌ネジ７１にネジ９０ｃを螺合させて調整部材７０を固定する。そして、調整部材７０の他方の平面部７０ｃに形成されたネジ孔７５に挿通されるネジ９０ｆを用いてシューアダプタ８０を調整部材７０に固定する。
【００８１】
この場合、調整部材７０の他方の平面部７０ｃは撮像装置１００の下面１０８と略直交することから、フラッシュ装置１２０は撮像装置１００に対して倒して略９０度倒れた状態で固定される。
【００８２】
この場合も、上述したように、ブラケット装置１は、撮像装置１００を把持する使用者の手又は腕と干渉することがない。また、１台又は２台のフラッシュ装置１２０の位置をの位置を比較的高い自由度で変更することができる。
【００８３】
図８は、撮像装置１００に対してフラッシュ装置１２０の発光部１２０ａを上方に固定した場合のブラケット装置１の使用形態の一例を示している。図４を参照して説明した場合よりもフラッシュ装置１２０を撮像装置１００の上方側に固定したい場合には、基台部１０のレリーズボタン１０４側とは反対側の他端部の撮像装置１００側の面に、第２腕部５０の第３延出部５０ｂが上方に延出するように、ネジ９０ｃを用いて固定する。
【００８４】
また、この状態において、基台部１０と第２腕部５０との間、及び第２腕部５０とシューアダプタ８０との間の少なくとも一方に調整部材７０が介装されてもよい。
【００８５】
なお、図８中では、画像表示装置１０６の表示画面１０６ｂが前方に向けられた状態を示している。本実施形態によれば図８に示すように、表示画面１０６ｂを前方、後方及び任意の方向にも向けることが可能である。
【００８６】
図９は、ブラケット装置１を折りたたんだ状態を示している。以上に説明したブラケット装置１では、第１腕部３０の第１延出部３０ｂの（撮像装置１００の）下方への延出量ｈ１よりも、第２腕部５０の第３延出部５０ｂの下方への延出量ｈ２の方が第１腕部３０の厚さｔだけ大きいことから、第１腕部３０及び第２腕部５０を回動させた場合に互いが干渉することがない。
【００８７】
したがって、図９に示すように、ネジ９０ｂ及び９０ｄを緩めて、第１腕部３０と第２腕部５０とを、折りたたむように互いに対向する方向に向く方向に向けることにより、ブラケット装置１の外形寸法を使用時に比して大幅に小さくすることができる。またこのとき、複数のネジ９０ａ〜９０ｅ及びシューアダプタ８０を本体部に装着したままの状態としておけるため、持ち運びが容易であり、かつ部品の紛失の恐れのない高い利便性を実現できる。また、この状態でも撮像装置１００の下面１０８にネジ９０ａを用いて固定しておくことも可能である。
【００８８】
なお、上述した実施形態においては、基台部１０、第１腕部３０、第２腕部５０及び調整部材７０は、金属製の平板から形成されるものとしているが、これらは、金属に限らず、樹脂や複合材料により形成されるものであってもよい。
【００８９】
（第２の実施形態）
以下、本発明の第２の実施形態について、図１０から図１６を参照して説明する。図１０は、第２の実施形態のブラケット装置の構成を示す図である。図１１は、第２の実施形態のブラケット装置を用いてフラッシュ装置を固定した状態を示す図である。図１２は、第３腕部の斜視図である。図１３は、保持部材の斜視図である。図１４は、調整部材を用いてフラッシュ装置の高さを変更した状態を示す図である。図１５は、把持部材を使用した縦位置撮影時の状態を示す図である。図１６は、第２の実施形態のブラケット装置の収納時の状態を示す図である。
【００９０】
第２の実施形態は、上述した第１の実施形態に比して、撮像装置１００にフラッシュ装置１２０を固定するための構成が異なる。以下では第１の実施形態との相違点のみを説明するものとし、第１の実施形態と同様の構成要素については同一の符号を付し、その説明を適宜に省略するものとする。
【００９１】
なお、本実施形態では、図１０及び１１に示すように、撮像装置１００によるフラッシュ装置１２０の発光の制御は、一例として撮像装置１００とフラッシュ装置１２０とを電気的に接続するケーブル１１３を介して行われるものとする。
【００９２】
ケーブル１１３の基端側には、撮像装置１００のホットシュー１１０に係合可能であり、のホットシュー１１０側の電気接点部１１０ａと接触する端子部を具備したフラッシュアダプタ１１１が設けられている。また、ケーブル１１３の先端側には、フラッシュ装置１２０の係合部と係合可能なシューと、フラッシュ装置１２０の端子部と接触する電気接点部とを具備したシューアダプタ１１２が設けられている。また、シューアダプタ１１２のシューとは反対側の面には、雄ネジ部９１が螺合可能な呼び径の雌ネジが形成されている。
【００９３】
フラッシュアダプタ１１１を撮像装置１００のホットシュー１１０に装着し、シューアダプタ１１２にフラッシュ装置１２０を装着することによって、撮像装置１００とフラッシュ装置１２０とが電気的に接続され両者間における通信が可能となる。
【００９４】
なお、ケーブル１１３は、撮像装置１００及びフラッシュ装置１２０に設けられたコネクタに接続される形態であってもよい。また、撮像装置１００によるフラッシュ装置１２０の制御は、ケーブル１１３を用いずに無線通信により行われるものであってもよい。
【００９５】
図１０及び図１１に示すように、本実施形態のブラケット装置１ａは、基台部１０、第３腕部１３０、保持部材１５０及びシューアダプタ１１２を具備して構成されている。
【００９６】
第３腕部１３０は、厚さｔの細長の金属製平板をクランク状に２度折り曲げてなる３つ平面部を有する形状を有する。より具体的には、第３腕部１３０は、基端部１３０ａと該基端部１３０ａに略直交する第１の延出方向に延出する第５延出部１３０ｂと、基端部１３０ａと略平行であって第５延出部１３０ｂの先端部から基端部１３０ａとは反対側となる第２の延出方向に延出する第６延出部１３０ｃと、により構成される。
【００９７】
図１２に示すように、第３腕部１３０は、基台部１０と略同一の外形を有する細長の平板を、２度略９０度に折り曲げることにより形成される。このように、基台部１０と略同一の外形の金属製平板から第３腕部１３０を形成することにより、製造時に必要な費用を削減することができる。
【００９８】
第３腕部１３０の基端部１３０ａには、雄ネジ部９１が螺合可能な呼び径のネジ孔１３４が形成されている。また、基端部１３０ａには、第５延出部１３０ｂの延出方向とは反対側に突出する一対の位置決めピン１３５が配設されている。一対の位置決めピン１３５は、基台部１０及び調整部材７０に形成された位置決め孔１３、１５及び７６内にすきま嵌め可能な外形を有し、ネジ孔１３４を略中心として中心間距離がＤとなるように配設されている。
【００９９】
また、第３腕部１３０の第６延出部１３０ｃの先端部には、雄ネジ部９１が螺合可能な呼び径のネジ孔１３２が形成されている。また、該ネジ孔１３２の周囲には、所定の直径Ｄの円周上に、複数の位置決め孔１３３がネジ孔１３２を中心に等配されている。位置決め孔１３３は、略４５度の間隔で８つ形成されている。なお、本実施形態では、位置決め孔１３３のうちの１つは、後述するスリット孔１３１の一端として形成されている。
【０１００】
第６延出部１３０ｃの基端とネジ孔１３２との間には、第６の延出方向に沿ってスリット孔１３１が形成されている。スリット孔１３１の一端は位置決め孔１３３の一つと連続するように形成されており、他端は雄ネジ部９１が螺合可能な呼び径の雌ネジ部１３１ａと連続するように形成されている。スリット孔１３１の二面幅は、ネジ９０ｅの非ネジ部９２の径よりも大きく、かつ雄ネジ部９１の外径よりも小さい。
【０１０１】
図１３に示すように、保持部材１５０は、所定の厚さｔの金属製平板を略Ｌ字状に折り曲げた形状を有する。具体的には、保持部材１５０は、雄ネジ部９１が螺合可能な呼び径のネジ孔１５６が形成された座面部１５５と、該座面部１５５に略直交する保持面部１５１とを具備して構成されている。
【０１０２】
座面部１５５には、保持面部１５１の延出方向とは反対側に突出する一対の位置決めピン１５７が配設されている。一対の位置決めピン１５７は、第３腕部１３０及び調整部材７０に形成された位置決め孔１３３及び７６内にすきま嵌め可能な外形を有し、ネジ孔１５６を略中心として中心間距離がＤとなるように配設されている。
【０１０３】
また、座面部１５５には、クランク状に折り曲げることにより該座面部１５５よりも高さｈ３だけ保持面部１５１の延出方向へオフセットしたシューアダプタ固定面部１５８が形成されている。シューアダプタ固定面部１５８は、座面部１５５と略平行である。
【０１０４】
シューアダプタ固定面部１５８には、雄ネジ部９１が螺合可能な呼び径のネジ孔１５９が形成されている。また、座面部１５５に対するシューアダプタ固定面部１５８のオフセット量ｈ３は、ネジ９０ｈの頭部９４（略円盤形状部）の厚さよりも大きい値とされる。
【０１０５】
保持部材１５０の保持面部１５１の先端部には、雄ネジ部９１が螺合可能な呼び径のネジ孔１５２と、筒状のスペーサ１５４と、雄ネジ部１５３ａがスペーサ１５４内に挿通された固定ネジ１５３が配設されている。
【０１０６】
スペーサ１５４は、保持面部１５１の座面部１５５側に所定量だけ突出して形成されており、保持面部１５１に略直交する貫通孔が穿設されている。固定ネジ１５３は、フラッシュ装置１２０の側面部に配設された固定用雌ネジ部に螺合可能な雄ネジ部１５３ａを有している。なお、雄ネジ部１５３ａがスペーサ１５４の貫通孔内に挿通された状態において、固定ネジ１５３が脱落しないように抜け防止機構が設けられている。
【０１０７】
スペーサ１５４及び固定ネジ１５３は、図１１に示すように、ネジ９０ｈでシューアダプタ固定面部１５８上に固定されたシューアダプタ１１２を介してフラッシュ装置１２０を保持部材１５０に固定した状態において、雄ネジ部１５３ａがフラッシュ装置１２０の固定用雌ネジ部に螺合可能な位置に配設されている。
【０１０８】
以上に説明した部品を具備して構成されるブラケット装置１ａにおいて、第３腕部１３０は、例えば図１０及び１１に示すように、基台部１０のレリーズボタン１０４とは反対側の他端部にネジ９０ｄにより固定される。また、第３腕部１３０の先端部には、保持部材１５０がネジ９０ｅにより固定される。
【０１０９】
このとき、第３腕部１３０に設けられた位置決めピン１３５が、基台部１０の位置決め孔１５に嵌め合わされるため、基台部１０に対する第３腕部１３０の角度は４５度毎に規制される。また、保持部材１５０に設けられた位置決めピン１５７が、第３腕部１３０の位置決め孔１３３に嵌め合わされるため、第３腕部１３０に対する保持部材１５０の角度も４５度毎に規制される。
【０１１０】
そして、フラッシュ装置１２０は、ネジ９０ｈによりシューアダプタ固定面部１５８上に固定されたシューアダプタ１１２を介して保持部材１５０上に固定されるとともに、固定ネジ１５３によって保持面部１５１にも固定される。
【０１１１】
以上に説明した本実施形態のブラケット装置１ａは、フラッシュ装置１２０をシューアダプタ１１２及び保持面部１５１の２点において固定するため、フラッシュ装置１２０を強固に保持することができる。これにより、フラッシュ装置１２０に衝撃が加わった場合におけるフラッシュ装置１２０の係合部の破損を防止することが可能となる。
【０１１２】
また、本実施形態においては、第３腕部１３０及び保持部材１５０の位置が位置決めピン１３５及び１５７により規制されているため、フラッシュ装置１２０を所定の位置に素早く固定できる。また、フラッシュ装置１２０の位置を固定した後には、第３腕部１３０及び保持部材１５０の位置が位置決めピン１３５及び１５７により規制されていることから、衝撃が加えられた場合においてもフラッシュ装置１２０の位置が不用意に変化してしまうことがない。
【０１１３】
以上のように、本実施形態のブラケット装置１ａを用いて撮像装置１００にフラッシュ装置１２０を固定することにより、フラッシュ装置１２０を撮像装置１００の側方に固定した状態における撮影時の操作性を向上させることができる。
【０１１４】
なお、図示しないが、第３腕部１３０は基台部１０のレリーズボタン１０４側の一端部に固定されてもよく、この場合、ブラケット装置１ａは第１の実施形態と同様の効果を有することは勿論のことである。
【０１１５】
図１４は、調整部材７０を用いて撮像装置１００に対するフラッシュ装置１２０の上下方向についての位置を変更する場合の、ブラケット装置１ａの使用形態の一例を示している。図１４に示すように、フラッシュ装置１２０の固定位置を撮像装置１００の下方に移したい場合には、基台部１０と、第３腕部１３０との間に、調整部材７０を介装する。
【０１１６】
この場合においても、調整部材７０は位置決めピン７４により基台部１０に対する角度が規制されることから、上述した実施形態と同様の効果が得られる。
【０１１７】
図１５は、撮像装置１００の下面１０８に装着可能な把持部材（把持装置）１２３を用いて縦位置で撮影する場合の、ブラケット装置１ａの使用形態の一例を示している。把持部材１２３は、撮像装置１００による縦位置撮影時の把持を容易なものとするための把持部及び第２レリーズボタン１２４を具備して構成されている。把持部材１２３は、一般にバッテリーグリップや縦位置グリップと称される。
【０１１８】
ブラケット装置１ａの基台部１０は、把持部材１２３の下面にネジ９０ａにより固定されている。また基台部１０は、上述した実施形態とは異なり、ネジ９０ａ周りに１８０度回動させた状態で把持部材１２３に固定されている。すなわち、基台部１０は、第２レリーズボタン１２４側へ延出するように固定される。
【０１１９】
この場合、図１５に示すように、把持部材１２３を把持して撮像装置１００を縦位置に構えると、フラッシュ装置１２０の発光部１２０ａが撮像レンズ１０３の鉛直上側に位置する。基台部１０は平板状であることから、使用者による把持部材１２３の把持及び第２レリーズボタン１２４の操作を妨げることがない。
【０１２０】
図１６は、ブラケット装置１ａを折りたたんだ状態を示している。図１６に示すように、本実施形態のブラケット装置１ａは、ネジ９０ａを用いて保持部材１５０を基台部１０に固定することができる。このとき、保持面部１５１が基台部１０に沿うため、ブラケット装置１ａの外形寸法を使用時に比して大幅に小さくすることができる。
【０１２１】
またこのとき、複数のネジ９０ａ、９０ｄ、９０ｅ及び９０ｈを本体部に装着したままの状態としておけるため、持ち運びが容易であり、かつ部品の紛失の恐れのない高い利便性を実現できる。
【０１２２】
なお、本発明は、上述した実施形態に限られるものではなく、特許請求の範囲及び明細書全体から読み取れる発明の要旨或いは思想に反しない範囲で適宜変更可能であり、そのような変更を伴うブラケット装置もまた本発明の技術的範囲に含まれるものである。
【図面の簡単な説明】
【０１２３】
【図１】第１の実施形態の撮像装置であるカメラの外観を示す斜視図である。
【図２】第１の実施形態のブラケット装置の外観を示す斜視図である。
【図３】第１の実施形態のブラケット装置の分解図である。
【図４】第１の実施形態のブラケット装置を用いて撮像装置にフラッシュ装置を固定した例を示す図である。
【図５】第１の実施形態のブラケット装置を用いて撮像装置に２つのフラッシュ装置を固定した例を示す図である。
【図６】第１の実施形態において、間隔部材を用いてフラッシュ装置の高さを変更した例を示す図である。
【図７】第１の実施形態において、間隔部材を用いてフラッシュ装置を撮像装置に対して横方向に倒して固定した例を示す図である。
【図８】第１の実施形態において、フラッシュ装置を撮像装置に対して上方に固定した例を示す図である。
【図９】第１の実施形態のブラケット装置を折りたたんだ状態を示す斜視図である。
【図１０】第２の実施形態のブラケット装置の構成を示す図である。
【図１１】第２の実施形態のブラケット装置を用いてフラッシュ装置を固定した例を示す図である。
【図１２】第３腕部の斜視図である。
【図１３】保持部材の斜視図である。
【図１４】第２の実施形態において、調整部材を用いてフラッシュ装置の高さを変更した例を示す図である。
【図１５】第２の実施形態において、把持部材を使用した縦位置撮影時の例を示す図である。
【図１６】第２の実施形態のブラケット装置の収納時の状態を示す図である。
【図１７】従来のブラケット装置を用いて撮像装置のレリーズボタン側にフラッシュ装置を固定した状態を示す図である。
【図１８】従来のブラケット装置を装着した撮像装置を把持した状態を示す図である。
【図１９】従来のブラケット装置を用いて撮像装置のレリーズボタン側とは反対側にフラッシュ装置を固定した状態を示す図である。
【図２０】従来の把持部を有するブラケット装置を用いて撮像装置のレリーズボタン側にフラッシュ装置を固定した状態を示す図である。
【符号の説明】
【０１２４】
１    ブラケット装置、
１０    基台部、
１１    スリット孔、
１１ａ    雌ネジ部、
１２    ネジ孔、
１３    位置決め孔、
１４    ネジ孔、
１５    位置決め孔、
１６    ネジ孔、
１７    シート、
３０    第１腕部、
３０ａ    基端部、
３０ｂ    第１延出部、
３０ｃ    第２延出部、
３１    スリット孔、
３１ａ    雌ネジ部、
３２    ネジ孔、
３３    位置決め孔、
３４    ネジ孔、
３６    シート、
５０    第２腕部、
５０ａ    基端部、
５０ｂ    第３延出部、
５０ｃ    第４延出部、
５１    スリット孔、
５１ａ    雌ネジ部、
５２    ネジ孔、
５３    位置決め孔、
５４    ネジ孔、
５６    シート、
７０    調整部材、
７１    ネジ孔、
７３    ネジ孔、
７４    位置決めピン、
７５    ネジ孔、
７６    位置決め孔、
８０    シューアダプタ、
８１    シュー、
８２    雌ネジ、
９０ａ〜９０ｈ    ネジ、
９１    雄ネジ部、
９２    非ネジ部、
９３    座面、
９４    頭部、
１００    撮像装置、
１０１    カメラボディ部、
１０２    把持部、
１０３    撮像レンズ、
１０４    レリーズボタン、
１０５    操作部材、
１０６    画像表示装置、
１０６ａ    ヒンジ部
１０７    内蔵フラッシュ装置、
１０８    下面、
１０９    三脚用ネジ穴、
１１０    ホットシュー、
１１０ａ    電気接点部、
１１１    フラッシュアダプタ、
１１２    シューアダプタ、
１１３  ケーブル、
１２０    フラッシュ装置、
１３０    第３腕部、
１３０ａ    基端部、
１３０ｂ    第５延出部、
１３０ｃ    第６延出部、
１３１    スリット孔、
１３１ａ    雌ネジ部、
１３２    ネジ孔、
１３３    位置決め孔、
１３４    ネジ孔、
１３５    位置決めピン、
１５０    保持部材、
１５１    保持面部、
１５２    ネジ孔、
１５３    固定ネジ、
１５３ａ    雄ネジ部、
１５４    スペーサ、
１５５    座面部、
１５６    ネジ孔、
１５７    位置決めピン、
１５８    シューアダプタ固定面部、
１５９    ネジ孔。
【図１】
2010128326.tif 000003
【図２】
2010128326.tif 000004
【図３】
2010128326.tif 000005
【図４】
2010128326.tif 000006
【図５】
2010128326.tif 000007
【図６】
2010128326.tif 000008
【図７】
2010128326.tif 000009
【図８】
2010128326.tif 000010
【図９】
2010128326.tif 000011
【図１０】
2010128326.tif 000012
【図１１】
2010128326.tif 000013
【図１２】
2010128326.tif 000014
【図１３】
2010128326.tif 000015
【図１４】
2010128326.tif 000016
【図１５】
2010128326.tif 000017
【図１６】
2010128326.tif 000018
【図１７】
2010128326.tif 000019
【図１８】
2010128326.tif 000020
【図１９】
2010128326.tif 000021
【図２０】
2010128326.tif 000022